(57)【要約】【課題】熱交換器における吸い込み面を広く確保しつつ、捩れ剛性を高めることが可能な冷凍装置の室外ユニットを提供する。【解決手段】室外機ケーシング４０は、底板４６の長手方向の幅が底板４６の長手方向に直交する方向の幅の１．０倍より大きく２．８倍以下である底板４６と、天板４５と、底板４６から天板４５まで延びる４本の支柱４１、４２、４３、４４と、を有しており、少なくとも３面の空気吸い込み面を有する室外熱交換器２４を隣接する２つの空気吸い込み面がいずれも外側に露出するように収容している。底板４６の下に固定された複数の基礎脚７１、７２、７３は、底板４６の長手方向に直交する方向に延びている。【選択図】図２
2017083029.tif 000002
【特許請求の範囲】
【請求項１】
冷凍装置（１）の室外ユニット（２０、１２０）であって、
少なくとも３面の空気吸い込み面を有する熱交換器（２４）と、
底板（４６、１４６）と、天板（４５）と、前記底板から前記天板まで延びている４本以上の支柱（４１、４２、４３、４４）と、を有しており、前記熱交換器のうち互いに隣接する２つの前記空気吸い込み面（２４ａ、２４ｃ、２４ｅ、２４ｇ）がいずれも外側に露出するように前記熱交換器を内部に収容するケーシング（４０、１４０）と、
前記底板の下に固定される複数の基礎脚（７１、７２、７３、１７１、１７２）と、
を備え、
前記底板の長手方向の幅は、前記底板の長手方向に直交する方向の幅の１．０倍より大きく２．８倍以下であり、
複数の前記基礎脚が、前記底板の長手方向に直交する方向に延びている、
冷凍装置の室外ユニット。
【請求項２】
前記底板の長手方向の幅は、前記底板の長手方向に直交する方向の幅の１．４倍以上２．８倍以下であり、
前記基礎脚（７１、７２、７３）は、前記底板の長手方向における一端近傍および他端近傍とその間に設けられている、
請求項１に記載の冷凍装置の室外ユニット（２０）。
【請求項３】
前記基礎脚は、前記底板の長手方向に直交する方向の一端から他端まで延びており、
前記底板の長手方向に直交する方向の一端から他端までの距離の３倍は、前記底板の長手方向の一端から他端までの距離の２倍よりも短い、
請求項２に記載の冷凍装置の室外ユニット（２０）。
【請求項４】
前記底板（１４６）の長手方向の幅は、前記底板の長手方向に直交する方向の幅の１．０倍より大きく１．４倍より小さく、
前記基礎脚（１７１、１７２）は、前記底板の長手方向の一端近傍および他端近傍に設けられている、
請求項１に記載の冷凍装置の室外ユニット（１２０）。
【請求項５】
前記ケーシングは、上面視が略矩形となるように構成されており、前記熱交換器と対応する高さ位置であって上面視において互いに隣接する位置に設けられた２つの側板（５１、５２）を有しており、
前記熱交換器は、前記ケーシングの側面に沿うように設けられた前記空気吸い込み面（２４ａ、２４ｃ、２４ｅ、２４ｇ）を４つ有している、
請求項１から４のいずれか１項に記載の冷凍装置の室外ユニット（２０、１２０）。
【発明の詳細な説明】
【技術分野】
【０００１】
本発明は、冷凍装置の室外ユニットに関する。
【背景技術】
【０００２】
従来より、冷凍装置の室外ユニットは、ケーシングの底板の下方に基礎脚が固定された状態で設置されている。
【０００３】
ここで、例えば特許文献１（特開２００７−１４７２５０号公報）に記載された例のように、吸い込み面を３面以上有する熱交換器を備えており上面視が略長方形となるように構成された従来の室外ユニットでは、いずれも、室外ユニットケーシングの底面の下方に設けられる基礎脚は、当該底面の長手方向に沿って延びるようにして設けられている。
【発明の概要】
【発明が解決しようとする課題】
【０００４】
ところが、吸い込み面を広く確保するために吸い込み面を３面以上有するような熱交換器を備えた室外ユニットでは、側板によって覆うことができる側面が小さいことから、捩れ剛性を十分に高めることができないおそれがある。
【０００５】
ここで、従来の室外ユニットにおける基礎脚は、いずれも、底板の長手方向に沿って延びる姿勢で底板の前後の縁部に固定して用いられるものだけが存在しており、他の固定姿勢や固定位置については提案されておらず、捩れ剛性を高める観点からの検討は全くなされていない。
【０００６】
本発明の課題は、上述した点に鑑みてなされたものであり、熱交換器における吸い込み面を広く確保しつつ、捩れ剛性を高めることが可能な冷凍装置の室外ユニットを提供することにある。
【課題を解決するための手段】
【０００７】
第１観点に係る冷凍装置の室外ユニットは、熱交換器と、ケーシングと、複数の基礎脚と、を備えている。熱交換器は、少なくとも３面の空気吸い込み面を有している。ケーシングは、底板と、天板と、４本以上の支柱と、を有している。各支柱は、底板から天板まで延びている。ケーシングは、熱交換器のうち互いに隣接する２つの空気吸い込み面がいずれも外側に露出するように熱交換器を内部に収容する。複数の基礎脚は、底板の下に固定されている。底板の長手方向の幅は、底板の長手方向に直交する方向の幅の１．０倍より大きく２．８倍以下である。複数の基礎脚が、底板の長手方向に直交する方向に延びている。
【０００８】
なお、底板の長手方向に直交する方向は、例えば、水平方向である。また、底板の長手方向の幅とは、当該方向における最大長さをいう。また、底板の長手方向に直交する方向の幅とは、当該方向における最大長さをいう。
【０００９】
この冷凍装置の室外ユニットが備える熱交換器は、少なくとも３面の空気吸い込み面を有しているため、空気吸い込み面が２面もしくは１面だけである熱交換器を備える冷凍装置の室外ユニットは排除されている。
【００１０】
ここで、少なくとも３面の空気吸い込み面を有する熱交換器を備えており、当該熱交換器の隣接する２つの空気吸い込み面がいずれも外側に露出するようにケーシング内に熱交換器が収容されており、底板の長手方向の幅が底板の長手方向に直交する方向の幅の１．０倍より大きく２．８倍以下である底板を有する冷凍装置の室外ユニットにおいて、底板の下に固定される複数の基礎脚を、底板の長手方向に延びるように設けるのではなく、底板の長手方向に直交する方向に延びるように設けることで、冷凍装置の室外ユニットの捩れ剛性を高めることが可能になることが試験により確認された。
【００１１】
以上より、複数の基礎脚を底板の長手方向に直交する方向に延びるように設けることで、少なくとも３面の空気吸い込み面を有する熱交換器を備えることで熱交換面積を広く確保した場合であっても、捩れ剛性を高めることが可能になっている。
【００１２】
第２観点に係る冷凍装置の室外ユニットは、第１観点に係る冷凍装置の室外ユニットであって、底板の長手方向の幅は、底板の長手方向に直交する方向の幅の１．４倍以上２．８倍以下である。基礎脚は、底板の長手方向における一端近傍および他端近傍とその間に設けられている。
【００１３】
この冷凍装置の室外ユニットでは、底板の長手方向における一端近傍と他端近傍とその間にそれぞれ配置される３本の基礎脚を用いることにより、底板の長手方向の幅が底板の長手方向に直交する幅に比べて比較的長い場合においても捩れ剛性を高めることが可能になっている。
【００１４】
第３観点に係る冷凍装置の室外ユニットは、第２観点に係る冷凍装置の室外ユニットであって、基礎脚は、底板の長手方向に直交する方向の一端から他端まで延びている。底板の長手方向に直交する方向の一端から他端までの距離の３倍は、底板の長手方向の一端から他端までの距離の２倍よりも短い。
【００１５】
従来の冷凍装置の室外ユニットでは、基礎脚は、底板の長手方向に直交する方向の一端近傍と他端近傍において底板の長手方向に延びるようにして２本設けられている。
【００１６】
これに対して、この冷凍装置の室外ユニットでは、底板の長手方向における一端近傍と他端近傍とその間とのそれぞれにおいて、底板の長手方向に直交する方向において一端から他端まで延びるように３本設けられている。そして、底板の長手方向に直交する方向の一端から他端までの距離の３倍は、底板の長手方向の一端から他端までの距離の２倍よりも短い。したがって、この冷凍装置の室外ユニットにおける３本の基礎脚の合計長さ（基礎脚が延びている方向における長さ）を、従来のように底板の長手方向に延びるようにして２本の基礎脚が設けられていた場合における当該２本の基礎脚の合計長さ（基礎脚が延びている方向における長さ）よりも短くすることが可能になっている。
【００１７】
以上により、基礎脚の必要長さを短くすることで材料コストを抑えつつ、捩れ剛性を高めることが可能になっている。
【００１８】
第４観点に係る冷凍装置の室外ユニットは、第１観点に係る冷凍装置の室外ユニットであって、底板の長手方向の幅は、底板の長手方向に直交する方向の幅の１．０倍より大きく１．４倍よりも小さい。基礎脚は、底板の長手方向の一端近傍および他端近傍に設けられている。
【００１９】
この冷凍装置の室外ユニットでは、底板の長手方向の幅が底板の長手方向に直交する方向の幅の１．０倍より大きく１．４倍よりも小さい場合において、底板の長手方向の一端近傍と他端近傍の２本の基礎脚が設けられている。このように、底板の長手方向の幅が底板の長手方向に直交する幅に比べて比較的短い場合には、基礎脚の本数を３本ではなく、底板の長手方向の一端近傍と他端近傍の２本に少なく抑えたとしても、十分な捩れ剛性を確保することが可能になる。
【００２０】
第５観点に係る冷凍装置の室外ユニットは、第１観点から第４観点のいずれかに係る冷凍装置の室外ユニットであって、ケーシングは、上面視が略矩形となるように構成されている。ケーシングは、２つの側板を有している。当該２つの側板は、熱交換器と対応する高さ位置において広がっている。また、当該２つの側板は、上面視において互いに隣接する位置に設けられている。熱交換器は、ケーシングの側面に沿うように設けられた空気吸い込み面を４つ有している。
【００２１】
この冷凍装置の室外ユニットでは、熱交換器の空気吸い込み面が４つ設けられることで、熱交換面積を広く確保した構造であっても、ケーシングが、側面を部分的に覆う２つの側板と４本以上の支柱を有しつつ、複数の基礎脚を底板の長手方向に直交する方向に延びるように配置したことにより、捩れ剛性を高めることが可能になっている。これにより、熱交換面積を広く確保した場合であっても、捩れ剛性を高めることが可能になっている。
【発明の効果】
【００２２】
第１観点に係る冷凍装置の室外ユニットでは、少なくとも３面の空気吸い込み面を有する熱交換器を備えることで熱交換面積を広く確保した場合であっても、捩れ剛性を高めることが可能になっている。
【００２３】
第２観点に係る冷凍装置の室外ユニットでは、底板の長手方向の幅が比較的長い場合においても捩れ剛性を高めることが可能になっている。
【００２４】
第３観点に係る冷凍装置の室外ユニットでは、基礎脚の必要長さを短くすることで材料コストを抑えつつ、捩れ剛性を高めることが可能になっている。
【００２５】
第４観点に係る冷凍装置の室外ユニットでは、基礎脚を底板の長手方向の一端近傍と他端近傍の２本に少なく抑えたとしても、十分な捩れ剛性を確保することが可能になる。
【００２６】
第５観点に係る冷凍装置の室外ユニットでは、熱交換面積を広く確保した場合であっても、捩れ剛性を高めることが可能になっている。
【図面の簡単な説明】
【００２７】
【図１】本発明の一実施形態に係る室外ユニットを備えた空気調和装置の冷媒回路図である。
【図２】室外ユニットを右斜め前方から見た場合の概略外観斜視図である。
【図３】室外ユニットの網部材を取り除いた状態について左斜め前方から見た場合の概略外観斜視図である。
【図４】室外ユニットの正面図である。
【図５】室外ユニットの右側面図である。
【図６】室外ユニットの背面図である。
【図７】室外ユニット内における室外熱交換器の配置の様子を示す上面図である。
【図８】スキッドと基礎脚のみを示す概略斜視図である。
【図９】各基礎脚と各支柱との螺着構造の関係概略説明図である。
【図１０】第１実施形態の比較対象としての従来例に係るスキッドと基礎脚のみを示す概略斜視図である。
【図１１】第１実施形態の比較対象としての従来例に係る各基礎脚と各支柱との螺着構造の関係概略説明図である。
【図１２】第２実施形態の室外ユニットの正面図である。
【図１３】第２実施形態のスキッドと基礎脚のみを示す概略斜視図である。
【図１４】第２実施形態の比較対象としての従来例に係るスキッドと基礎脚のみを示す概略斜視図である。
【発明を実施するための形態】
【００２８】
以下、図面を参照しながら、本発明の実施形態について説明する。なお、以下の実施形態は、本発明の具体例であって、本発明の技術的範囲を限定するものではない。
【００２９】
＜第１実施形態＞
（１）空気調和装置１の全体構成
図１は、第１実施形態に係る空気調和装置１の冷媒回路を示す模式図である。
【００３０】
空気調和装置１は、室外ユニット２０と、室内ユニット３０と、を備えている。なお、本実施形態の空気調和装置１は、図１に示すように、１台の室外ユニット２０と、複数台の室内ユニット３０とが冷媒配管によって並列に接続されているマルチ型の空気調和装置である。なお、複数台の室外ユニット２０と、複数台の室内ユニット３０とが接続されていてもよい。また、本実施形態の空気調和装置１は、１台の室外ユニット２０に１台の室内ユニット３０が接続されたペア型の空気調和装置であってもよい。この空気調和装置１は、冷房運転及び暖房運転を含む各種運転を行う。
【００３１】
また、この空気調和装置１では、室外ユニット２０と室内ユニット３０とが冷媒配管によって接続されることで、蒸気圧縮式の冷媒回路１０が構成されている。冷媒回路１０には、圧縮機２１と、室内熱交換器３３と、電動膨張弁２２と、室外熱交換器２４と、が順に接続されている。
【００３２】
（１−１）室外ユニット２０の基本構成
室外ユニット２０は、室外に設置されており、図１に示すように、圧縮機２１、四路切換弁２３、アキュムレータ２５、室外熱交換器２４、室外ファン２８、及び、電動膨張弁２２等を内部に収納している。
【００３３】
圧縮機２１は、回転数が可変なインバータ式の圧縮機であって、吸入したガス冷媒を圧縮するためのものである。
【００３４】
電動膨張弁２２は、室内熱交換器３３と室外熱交換器２４との間の冷媒圧力の調整や冷媒流量の調整等を行うための弁である。なお、本実施形態では、膨張機構として電動膨張弁２２が採用されているが、冷媒圧力の調整や冷媒流量の調整等を行うことができる機構であれば膨張機構はこれに限定されない。
【００３５】
室外熱交換器２４は、外部を流れる室外空気と内部を流れる冷媒との間で熱交換を行わせる。室外ファン２８が室外熱交換器２４に対して空気流れを供給し、室外熱交換器２４は、供給されてきた室外空気と室外熱交換器２４を流れる冷媒とを熱交換させる。室外熱交換器２４は、主に、長手方向両端で複数回折り返されてなる伝熱管と、伝熱管が貫通している複数のフィンとから構成されている。室外熱交換器２４は、暖房運転時には蒸発器として機能し、冷房運転時には凝縮器として機能する。
【００３６】
室外ファン２８は、室外ユニット２０の周囲から室外空気を室外ユニット２０内に取り込み、室外熱交換器２４において冷媒と熱交換させた後に、室外ユニット２０の上方から上向きに排出させる空気流れを形成させるためのファンである。なお、本実施形態における室外ファン２８は、ファンモータ２８ａによって駆動されるプロペラファンである。
【００３７】
また、四路切換弁２３は、冷媒回路１０を流れる冷媒の流路を変更する切換機構を構成している。四路切換弁２３は、冷房運転状態（図１の実線参照）と、暖房運転状態（図１の破線参照）とを切り換える。冷房運転状態（図１の実線参照）では、四路切換弁２３は、圧縮機２１の吐出部２１ａと室外熱交換器２４とを接続し、かつ、室内熱交換器３３と圧縮機２１の吸入部２１ｂとを接続する。暖房運転状態（図１の破線参照）では、四路切換弁２３は、圧縮機２１の吐出部２１ａと室内熱交換器３３と接続し、かつ、室外熱交換器２４と圧縮機２１の吸入部２１ｂとを接続する。四路切換弁２３の切換によって、冷媒回路１０における冷媒の循環方向が可逆に構成されている。
【００３８】
さらに、アキュムレータ２５は、液冷媒とガス冷媒とを分離するためのものである。アキュムレータ２５は、冷媒回路１０において、圧縮機２１の吸入部２１ｂと四路切換弁２３とを接続する冷媒配管に設けられている。
【００３９】
（１−２）室内ユニット３０の基本構成
室内ユニット３０は室内に設置される。室内ユニット３０は、室内熱交換器３３及び室内ファン３４を内部に収容している。
【００４０】
室内熱交換器３３は、室内空気と冷媒とを熱交換させるためのものである。室内ファン３４が室内熱交換器３３に接触する空気流れを生成し、室内熱交換器３３は、室内の空気と室内熱交換器３３を流れる冷媒との間で熱交換を行わせる。室内熱交換器３３は、主に、長手方向両端で複数回折り返されてなる伝熱管と、伝熱管が貫通している複数のフィンとから構成されている。室内熱交換器３３は、暖房運転時には、凝縮器として機能し、冷房運転時には蒸発器として機能する。
【００４１】
室内ファン３４は、室内の空気を室内ユニット３０内に取り込み、室内熱交換器３３との間で熱交換を行った後の空気を室内に吹き出させるためのファンである。
【００４２】
（１−３）動作
（１−３−１）冷房運転
冷房運転を行う場合には、四路切換弁２３の切換により冷房運転状態（図１の実線参照）に設定される。圧縮機２１の吐出部２１ａから吐出された高温高圧のガス状冷媒は、四路切換弁２３経て室外熱交換器２４に導入される。高温高圧のガス状冷媒は、室外熱交換器２４において室外空気との間で熱交換され、凝縮・液化する。液化した冷媒は、全開の電動膨張弁２２を経て室内ユニット３０の室内熱交換器３３に導入される。液化した冷媒は、室内熱交換器３３において室内空気との間で熱交換され、蒸発する。冷媒の蒸発によって冷却された室内空気は、室内ファン３４によって室内に吹き出される。また、室内熱交換器３３で蒸発して気化した冷媒は、室外ユニット２０に戻り、四路切換弁２３及びアキュムレータ２５を経て圧縮機２１の吸入部２１ｂに導入される。
【００４３】
（１−３−２）暖房運転
暖房運転を行う場合には、四路切換弁２３の切換により暖房運転状態（図１の破線参照）に設定される。圧縮機２１の吐出部２１ａから吐出された高温高圧のガス状冷媒は、四路切換弁２３経て室内熱交換器３３に導入される。高温高圧のガス状冷媒は、室内熱交換器３３において室内空気との間で熱交換され、凝縮・液化する。冷媒の凝縮によって加熱された室内空気は、室内ファン３４によって室内に吹き出される。また、室内熱交換器３３で凝縮して液化した冷媒は、室外ユニット２０に戻る。室外ユニット２０に戻った冷媒は、電動膨張弁２２で低圧に減圧される。その後、冷媒は、室外熱交換器２４において室外空気と熱交換され、蒸発する。蒸発して気化した冷媒は、四路切換弁２３及びアキュムレータ２５を経て圧縮機２１の吸入部２１ｂに導入される。
【００４４】
（２）室外ユニット２０の詳細構造
図２に、室外ユニット２０を右斜め手前から見た場合の概略外観斜視図（スキッド８０は省略）を示す。
【００４５】
図２に示すＸ方向（底板の長手方向）を左右方向とし、Ｙ方向（底板の長手方向に直交する方向）を前後方向とし、Ｚ方向を上下方向とする。ここで、図２のＸの矢印が示す向き（＋Ｘ側）を左側とし、その反対側（-Ｘ側）を右側とする。また、図２のＹの矢印が示す向き（＋Ｙ側）を後ろ側とし、その反対側（-Ｙ側）を前側とする。さらに、図２のＺの矢印が示す向き（＋Ｚ側）を上側とし、その反対側（-Ｚ側）を下側とする。
【００４６】
図３に、室外ユニット２０について上部吹出口４５ａの網部材４５ｂを取り除いた状態について、左斜め手前から見た場合の概略外観斜視図（室外機ケーシング４０の内部の一部を含む、スキッド８０は省略）を示す。
【００４７】
図４に、室外ユニット２０の正面図を示す。図５に、室外ユニット２０の右側面図を示す。図６に、室外ユニット２０の背面図を示す。なお、図４、図５、図６では、スキッド８０は、点線で示している。図７に、室外ユニット２０における室外熱交換器２４の配置を現した上面図を示す。図８に、スキッド８０上に固定された状態の各基礎脚の斜視図を示す（図中、各基礎脚は、二点鎖線で囲われた部分である。）。図９に、各基礎脚と各支柱との螺着構造の関係概略説明図を示す。
【００４８】
室外ユニット２０は、室外熱交換器２４、室外ファン２８、圧縮機２１、アキュムレータ２５、および電動膨張弁２２等を内部に収容する室外機ケーシング４０を有している。
【００４９】
室外機ケーシング４０は、略直方体形状であり、右前支柱４１、右後支柱４２、左後支柱４３、左前支柱４４、天板４５、底板４６、補強部材４７、前面下部パネル５１、左側面下部パネル５２、前面上部パネル５３、右側面上部パネル５４、背面上部パネル５５、左側面上部パネル５６、上部吹出口４５ａ、右基礎脚７１、中央基礎脚７２、左基礎脚７３等を有しており、スキッド８０の上に載置される。
【００５０】
室外機ケーシング４０は、左右方向の幅よりも上下方向の幅のほうが長く、左右方向の幅よりも前後方向の幅の方が短くなるように構成されており、本実施形態においては、左右方向の幅が１２４０ｍｍであり、前後方向の幅が７６５ｍｍであり、上下方向の幅が１５２５ｍｍとなっている。
【００５１】
この室外機ケーシング４０は、右基礎脚７１と中央基礎脚７２と左基礎脚７３が、図８に示すように接地面上に配置されるスキッド８０の上方に固定されることで据え付けられる。なお、これらの基礎脚はブラケットとも称される。なお、図４、図６においては、右基礎脚７１と左基礎脚７３は、右前支柱４１、右後支柱４２、左後支柱４３、左前支柱４４と前後方向に重なっており、現れていない。
【００５２】
底板４６は、右前支柱４１、右後支柱４２、左後支柱４３、左前支柱４４の各下端近傍内側に対して螺着固定されており、平面上に広がっている。底板４６の上には、圧縮機２１、アキュムレータ２５、室外熱交換器２４等の重量物が載置されている。底板４６は、長手方向が左右方向となり、長手方向に垂直な方向が前後方向となるように構成されている。具体的には、底板４６は、底板４６の長手方向（左右方向）の幅は、底板４６の長手方向に直交する方向（前後方向）の幅の１．０倍よりも大きく２．８倍以下となるように構成されており、より好ましくは底板４６の長手方向に直交する方向（前後方向）の幅の１．４倍以上２．８倍以下となるように構成されており、さらに好ましくは底板４６の長手方向に直交する方向（前後方向）の幅の１．４倍以上１．８倍以下となるように構成されており、特に本実施形態では、底板４６の長手方向（左右方向）の幅が底板４６の長手方向に直交する方向（前後方向）の幅の１．６２倍となるように構成されている。なお、底板４６は、周縁分において上側に向けて折り曲げられた面部分を有している。底板４６の当該面部分の外側部分のうち、複数個所において、右前支柱４１、右後支柱４２、左後支柱４３、左前支柱４４の内側部分と面接触した部分が、複数個所、螺子４６ｓによって螺着固定されている。
【００５３】
右基礎脚７１は、底板４６の右側縁部に沿って前後方向に延びる姿勢で設けられており、底板４６の下に螺子（図示せず）を介して固定されている。また、右基礎脚７１は、前側端部近傍部分が右前支柱４１と前後方向からボルトとナット等の締結部材７１ｘによって螺着固定されており、後側端部近傍部分が右後支柱４２と前後方向からボルトとナット等の締結部材７１ｙによって螺着固定されている（図９の螺合関係概略説明図を参照）。右基礎脚７１は、１つの金属板金を折り曲げて構成されている。右基礎脚７１は、前側端部近傍において法線方向が前後方向となるように折り曲げて形成された前面部７１ｓと、後側端部近傍において法線方向が前後方向となるように折り曲げて形成された後面部７１ｔを有している（図８参照）。右基礎脚７１と右前支柱４１および右後支柱４２との螺合は、当該前面部７１ｓが右前支柱４１における法線方向を前後方向とする面部分と面接触し、後面部７１ｔが右後支柱４２における法線方向を前後方向とする面部分と面接触した状態でそれぞれ螺着固定されている。
【００５４】
中央基礎脚７２は、底板４６の中央において前後方向に延びる姿勢で設けられており、底板４６の下に螺子（図示せず）を介して固定されている。なお、中央基礎脚７２も、１つの金属板金を折り曲げて構成されている。
【００５５】
左基礎脚７３は、底板４６の左側縁部に沿って前後方向に延びる姿勢で設けられており、底板４６の下に螺子（図示せず）を介して固定されている。また、左基礎脚７３は、前側端部近傍部分が左前支柱４４と前後方向からボルトとナット等の締結部材７３ｘによって螺着固定されており、後側端部近傍部分が左後支柱４３と前後方向からボルトとナット等の締結部材７３ｙによって螺着固定されている（図９の螺合関係概略説明図を参照）。左基礎脚７３も、１つの金属板金を折り曲げて構成されている。左基礎脚７３においても、右基礎脚７１と同様に、前側端部近傍において法線方向が前後方向となるように折り曲げて形成された前面部（部材番号略）と、後側端部近傍において法線方向が前後方向となるように折り曲げて形成された後面部（部材番号略）を有している。左基礎脚７３と左前支柱４４および左後支柱４３との螺合は、当該前面部が左前支柱４４における法線方向を前後方向とする面部分と面接触し、後面部が左後支柱４３における法線方向を前後方向とする面部分と面接触した状態でそれぞれ螺着固定されている。
【００５６】
右基礎脚７１と、中央基礎脚７２と、左基礎脚７３とは、図８に示すように、概ね同様の形状を有しており、中央基礎脚７２と左基礎脚７３とが互いに同じ姿勢で設けられるのに対して、右基礎脚７１はこれらを鉛直方向を軸に１８０度回転させた姿勢で設けられている。
【００５７】
天板４５は、室外機ケーシング４０の上面を構成しており、室外ファン２８が設けられている上方部分において上下に貫通した上部吹出口４５ａが設けられている。本実施形態では、２台の室外ファン２８が軸方向を鉛直方向としつつ左右方向に並ぶようにして配置されている。このため、上部吹出口４５ａも、各室外ファン２８に対応するように左右に並んで設けられている。上部吹出口４５ａは、室外ファン２８により生じる空気流れを鉛直上方に向けて送り出す。なお、上部吹出口４５ａの下方であって各室外ファン２８の周囲には、鉛直方向に円筒状に伸びたベルマウス２８ｂが設けられている。
【００５８】
右前支柱４１は、室外機ケーシング４０の前面右側において鉛直方向に伸びており、上端は天板４５まで延びており、下端近傍が底板４６の前面右側端部と底板４６の右面前側端部と右基礎脚７１の前側端部近傍とに対して螺着固定されている。右前支柱４１は、上面視において室外機ケーシング４０の右前側の角を縁取るように設けられている。
【００５９】
右後支柱４２は、室外機ケーシング４０の背面右側において鉛直方向に伸びており、上端は天板４５まで延びており、下端近傍が底板４６の背面右側端部と底板４６の右面後側端部と右基礎脚７１の後側端部近傍とに対して螺着固定されている。右後支柱４２は、上面視において室外機ケーシング４０の右後側の角を縁取るように設けられている。
【００６０】
左後支柱４３は、室外機ケーシング４０の背面左側において鉛直方向に伸びており、上端は天板４５まで延びており、下端近傍が底板４６の背面左側端部と底板４６の左面後側端部と左基礎脚７３の後側端部近傍とに対して螺着固定されている。左後支柱４３は、上面視において室外機ケーシング４０の左後側の角を縁取るように設けられている。
【００６１】
左前支柱４４は、室外機ケーシング４０の前面左側において鉛直方向に伸びており、上端は天板４５まで延びており、下端近傍が底板４６の前面左側端部と底板４６の左面前側端部と左基礎脚７３の前側端部近傍とに対して螺着固定されている。左前支柱４４は、上面視において室外機ケーシング４０の左前側の角を縁取るように設けられている。
【００６２】
補強部材４７は、右前支柱４１と右後支柱４２とを、中間程度の高さ位置において連結するように設けられており、室外機ケーシング４０の強度を高めている。補強部材４７は、右側面視において前後に長い長方形を縁取るように一体的に構成されている。
【００６３】
前面下部パネル５１は、室外機ケーシング４０のうち前面左下方を覆うように広がっている。左側面下部パネル５２は、室外機ケーシング４０のうち左側面の前側下方を覆うように広がっている。前面上部パネル５３は、室外機ケーシング４０の前面上方において室外ファン２８の前側を覆っており、天板４５と右前支柱４１と左前支柱４４とに対して螺着固定されている。右側面上部パネル５４は、室外機ケーシング４０の右側面上方において室外ファン２８の右側を覆うように設けられており、天板４５と右前支柱４１と右後支柱４２とに対して螺着固定されている。背面上部パネル５５は、室外機ケーシング４０の背面上方において室外ファン２８の背面側を覆うように設けられており、天板４５と右後支柱４２と左後支柱４３とに対して螺着固定されている。左側面上部パネル５６は、室外機ケーシング４０の左側面上方において室外ファン２８の左側を覆うように設けられており、天板４５と左後支柱４３と左前支柱４４とに対して螺着固定されている。
【００６４】
本実施形態の室外熱交換器２４は、室外機ケーシング４０の室外ファン２８の下方の領域において４つの側面（前面、背面、左側面、右側面）のいずれに対しても沿うように設けられており、室外ユニット２０の設置面（水平面）に対して上方伸びるように立設されている。具体的には、室外熱交換器２４は、室外ユニット２０の上面図である図７に示すように、前面の右側において広がる第１熱交部分２４ａ、前面と右側面との間を繋ぐように湾曲している第２熱交部分２４ｂ、右側面において広がる第３熱交部分２４ｃ、右側面と背面とを繋ぐように湾曲している第４熱交部分２４ｄ、背面において広がる第５熱交部分２４ｅ、背面と左側面とを繋ぐように湾曲している第６熱交部分２４ｆ、および左側面の背面側において広がった第７熱交部分２４ｇを有しており、これらが互いに連なるようにして、室外機ケーシング４０の側面を縁取るように設けられている。このように、本実施形態の室外熱交換器２４は、室外機ケーシング４０の４つの側面（前面、背面、左側面、右側面）それぞれに対応して設けられた４つの吸い込み側面を備えている。
【００６５】
以上により、室外機ケーシング４０の前面側であって前面上部パネル５３より下方の部分は、前面下部パネル５１と、前面側に向けて露出した室外熱交換器２４の第１熱交部分２４ａと第２熱交部分２４ｂの前方部分によって構成されている。室外機ケーシング４０の右側であって右側面上部パネル５４より下方の部分は、右側に向けて露出した室外熱交換器２４の第２熱交部分２４ｂの後方部分と第３熱交部分２４ｃと第４熱交部分２４ｄの前方部分によって構成されている。これにより、室外機ケーシング４０の右側について、右前支柱４１と右後支柱４２との間であって右側面上部パネル５４より下方で底板４６より上方の領域は、右側面視において、室外熱交換器２４によって９０％以上が覆われている（補強部材４７分覆われていない）。室外機ケーシング４０の背面側であって背面上部パネル５５より下方の部分は、背面に向けて露出した室外熱交換器２４の第４熱交部分２４ｄの後方部分と、第５熱交部分２４ｅと、第６熱交部分２４ｆの後方部分と、によって構成されている。これにより、室外機ケーシング４０の背面側について、右後支柱４２と左後支柱４３との間であって背面上部パネル５５より下方で底板４６より上方の領域は、背面視において、室外熱交換器２４によって９５％以上が覆われている。室外機ケーシング４０の左側であって左側面上部パネル５６より下方の部分は、左側面下部パネル５２と、左側に向けて露出した室外熱交換器２４の第６熱交部分２４ｆの前方部分と、第７熱交部分２４ｇによって構成されている。
【００６６】
スキッド８０は、図８に示すように、木材によって構成されており、底面が接地面に配置され、上面に室外ユニット２０が載置される、室外ユニット２０の土台となる部材である。スキッド８０の上方には、右基礎脚７１と中央基礎脚７２と左基礎脚７３とが上下方向に螺着固定される。スキッド８０は、前側において左右に延びる第１部材８１と、背面側において左右に延びる第２部材８２と、第１部材８１と第２部材８２とを前後方向に連絡するようにして固定している第３部材８３、第４部材８４、第５部材８５、第６部材８６を有しており、これらが互いに固定されることで一体化されている。第３部材８３と第４部材８４は、左右に並んで、第１部材８１と第２部材８２の上方部分を連絡させている。第５部材８５は、第１部材８１と第２部材８２の右側端部を前後方向に連絡させている。第６部材８６は、第１部材８１と第２部材８２の左側端部を前後方向に連絡させている。
【００６７】
右基礎脚７１は、スキッド８０の第１部材８１と第２部材８２の右側端部において前後方向に延びるようにして設けられており、スキッド８０に対して図示しない螺子によって螺着固定されている。右基礎脚７１は、底面７１ａ、中央立設面７１ｂ、中央上面７１ｃ、前方立設面７１ｄ、前方上面７１ｅ、後方立設面７１ｆ、後方上面７１ｇ、前面部７１ｓ、および、後面部７１ｔを有している。底面７１ａは、前後方向に延びており、スキッド８０の第１部材８１と第２部材８２の上に載置されている。中央立設面７１ｂは、底面７１ａの前後方向中央部分の右側部分が上方に折り曲げて形成された面であり、前後２箇所において板厚方向に貫通した部分が形成されている。この中央立設面７１ｂの前後方向における長さは、右基礎脚７１の前後方向における長さの６０％以上９０％以下の範囲となっている。中央上面７１ｃは、中央立設面７１ｂの上端が左側に折り曲げられることで形成された面であり、底面７１ａと対向する面である。底面７１ａと中央立設面７１ｂと中央上面７１ｃとは、前側から見た場合に略コの字形状となっている。前方立設面７１ｄは、底面７１ａのうち中央立設面７１ｂが形成されている部分よりもさらに前の部分の左側部分が上方に折り曲げて形成された面である。前方上面７１ｅは、前方立設面７１ｄの上端が右側に折り曲げられることで形成された面であり、底面７１ａと対向する面である。底面７１ａと前方立設面７１ｄと前方上面７１ｅとは、後ろ側から見た場合に略コの字形状となっている。後方立設面７１ｆは、底面７１ａのうち中央立設面７１ｂが形成されている部分よりもさらに後の部分の左側部分が上方に折り曲げて形成された面である。後方上面７１ｇは、後方立設面７１ｆの上端が右側に折り曲げられることで形成された面であり、底面７１ａと対向する面である。底面７１ａと後方立設面７１ｆと後方上面７１ｇとは、後ろ側から見た場合に略コの字形状となっている。
【００６８】
中央基礎脚７２は、スキッド８０の第１部材８１と第２部材８２の左右方向の中央近傍において前後方向に延びるようにして設けられており、スキッド８０に対して図示しない螺子によって螺着固定されている。中央基礎脚７２の形状は、上述した右基礎脚７１と概ね同様であるが、鉛直方向を軸として１８０度回転させた姿勢となっている。
【００６９】
左基礎脚７３は、スキッド８０の第１部材８１と第２部材８２の左側端部において前後方向に延びるようにして設けられており、スキッド８０に対して図示しない螺子によって螺着固定されている。左基礎脚７３の形状も、上述した右基礎脚７１と概ね同様であるが、鉛直方向を軸として１８０度回転させた姿勢となっている。
【００７０】
（３）第１実施形態の室外ユニット２０の特徴
（３−１）熱交換面積と捩れ剛性
本実施形態の室外ユニット２０は、室外熱交換器２４が上面視において室外機ケーシング４０の４つの側面全てに沿うように配置されているため、熱交換面積を広く確保することが可能になっている。このように、室外機ケーシング４０の背面側と右側面側では、その大部分において室外熱交換器２４が露出しており、熱交換面積が広く確保されているが、他方で、室外機ケーシング４０の側面を構成する板部分の割合が少なくなっている。このため、熱交換面積を広く確保した場合であっても、捩れ剛性が十分に確保されていることが好ましい。
【００７１】
このような室外熱交換器２４の熱交換面積が広く確保された室外ユニットにおいて、図１０に示すように２本の基礎脚９７１、９７２が前後において左右方向に延びるように配置された従来例と、第１実施形態の室外ユニット２０のように基礎脚を前後方向に延びるように配置した例と、について、捩れ剛性を以下の試験により確認した。
【００７２】
（３−２）捩れ剛性の確認試験
試験では、従来例において基礎脚９７１、９７２とスキッド９８０を用い、第１実施形態の室外ユニット２０において右基礎脚７１と中央基礎脚７２と左基礎脚７３とスキッド８０を用い、他の条件を同様として、捩れ剛性を調べた。いずれの例も、総重量が３５０ｋｇであった。また、いずれの例も、底板４６は、底板４６の長手方向（左右方向）の幅が、底板４６の長手方向に直交する方向（前後方向）の幅の１．４倍以上２．８倍以下となるように構成されている。
【００７３】
従来例では、右基礎脚７１と中央基礎脚７２と左基礎脚７３と同様の形状を有しており、長手方向の長さが異なる基礎脚９７１、９７２を用いた（図１０において二点鎖線で囲われた部分として示す）。また、従来例では、スキッド８０に実質的に対応した形状のスキッド９８０を用いた。なお、図１１に示すように、従来例の基礎脚９７１、９７２は、左右方向に延びており、その左右方向の両端において支柱と左右方向に螺着固定されたものを用いた（螺子９７１ｘ、９７１ｙ、９７２ｘ、９７２ｙによる螺合）。
【００７４】
試験では、図５に示すように、右前支柱４１のうち室外熱交換器２４の上端近傍の高さ位置の部分に、前方に向けて引っ張るようにして水平外力Ｆ１を作用させた場合の、当該右前支柱４１の当該位置からの変位量を確認することにより、前後方向の捩れ剛性の確認を行った。
【００７５】
また、図６に示すように、右後支柱４２のうち室外熱交換器２４の上端近傍の高さ位置の部分に、右側に向けて引っ張るようにして水平外力Ｆ２を作用させた場合の、当該右後支柱４２の当該位置からの変位量を確認することにより、左右方向の捩れ剛性の確認を行った。
【００７６】
水平外力Ｆ１、Ｆ２は、いずれも８５０Ｎとした。これは、室外ユニットをトラック等に積載させて出荷する際また搬入する際に作業員等により室外ユニットに加わる外力として想定した。また、変位量は、８５０Ｎの力を作用させた後に支柱の変位量が安定した状態で測定した。
【００７７】
（３−３）効果
第１実施形態の室外ユニット２０においても、従来例においても、いずれにおいても、左右方向における捩れ変形よりも前後方向における捩れ変形の方が大きいことが明らかとなった。
【００７８】
従来例における前後方向の捩れ変形量は１５．８ｍｍであったが、第１実施形態の室外ユニット２０における前後方向の捩れ変形量は１１．５ｍｍであり、第１実施形態の室外ユニット２０のように基礎脚を前後方向に延びるように配置した方が前後方向の捩れ変形量が小さく抑えられることが明らかとなった。
【００７９】
また、従来例における左右方向の捩れ変形量は９．５ｍｍであったが、第１実施形態の室外ユニット２０における左右方向の捩れ変形量は７．５ｍｍであり、第１実施形態の室外ユニット２０のように基礎脚を前後方向に延びるように配置した方が左右方向についても捩れ変形量が小さく抑えられることが明らかとなった。
【００８０】
なお、従来例においては、左右方向に延びた基礎脚９７１、９７２を用いているが、これらはいずれも長手方向の長さ（左右方向の長さ）が１２４０．０ｍｍであった。従来例における複数の基礎脚９７１、９７２の長手方向の合計長さは１２４０．０ｍｍ×２（本）＝２４８０．０ｍｍである。これに対して、第１実施形態の室外ユニット２０では、前後方向の延びた右基礎脚７１、中央基礎脚７２、左基礎脚７３を用いているが、これらはいずれも長手方向の長さ（前後方向の長さ）が７６５．０ｍｍであった。第１実施形態の室外ユニット２０おける右基礎脚７１、中央基礎脚７２、左基礎脚７３の長手方向の合計長さは７６５．０ｍｍ×３（本）＝２２９５．０ｍｍである。したがって、従来例よりも第１実施形態の室外ユニット２０のほうが、基礎脚において用いられる長手方向の長さを短くすることができており、材料費を削減することも可能になっていることから、材料費を削減しつつ捩れ剛性を高めることが可能になっている。
【００８１】
（４）第２実施形態
第２実施形態の空気調和装置では、第１実施形態の空気調和装置１とは主として室外ユニットの容量と形状が異なるのみであり、他の構成は同様である。
【００８２】
図１２に、第２実施形態の空気調和装置の室外ユニット１２０の正面図を示す。
【００８３】
第２実施形態の室外ユニット１２０は、第１実施形態の室外ユニット２０よりも容量が小さく、室外ファンが１台だけ設けられており、室外機ケーシング１４０の左右方向の長さが短い点で異なっている。
【００８４】
室外機ケーシング１４０は、左右方向の幅よりも上下方向の幅のほうが長く、左右方向の幅よりも前後方向の幅の方が短くなるように構成されており、本実施形態においては、左右方向の幅が９３０ｍｍであり、前後方向の幅が７６５ｍｍであり、上下方向の幅が１５２５ｍｍとなっている。
【００８５】
底板１４６は、長手方向が左右方向となり、長手方向に垂直な方向が前後方向となるように構成されている。具体的には、底板１４６は、底板１４６の長手方向（左右方向）の幅は、底板１４６の長手方向に直交する方向（前後方向）の幅の１．０倍よりも大きく１．４倍よりも小さくなるように構成されており、より好ましくは底板１４６の長手方向に直交する方向（前後方向）の幅の１．１倍よりも大きく１．３倍以下となるように構成されており、特に第２実施形態では、底板１４６の長手方向（左右方向）の幅が底板１４６の長手方向に直交する方向（前後方向）の幅の１．２２倍となるように構成されている。
【００８６】
第２実施形態の室外ユニット１２０は、第１実施形態の室外ユニット２０とは異なり、基礎脚が左側端部と右側端部にのみ設けられている。すなわち、第１実施形態の室外ユニット２０における中央基礎脚７２に相当する基礎脚は設けられておらず、スキッド１８０上に固定された様子を示す図１３において明らかなように、右基礎脚１７１と左基礎脚１７２が設けられている。なお、図１２においては、右基礎脚１７１と左基礎脚１７２は、右前支柱４１、右後支柱４２、左後支柱４３、左前支柱４４と前後方向に重なっており、現れていない。
【００８７】
右基礎脚１７１は、第１実施形態の右基礎脚７１と同様であり、底板１４６の右側縁部に沿って前後方向に延びる姿勢で設けられており、底板１４６の下に螺子（図示せず）を介して固定されている。また、右基礎脚１７１は、前側端部近傍部分が右前支柱４１と前後方向からボルトとナット等の締結部材１７１ｘによって螺着固定されており、後側端部近傍部分が右後支柱４２と前後方向からボルトとナット等の締結部材（図示せず）によって螺着固定されている。なお、右基礎脚１７１が、１つの金属板金を折り曲げて構成されている点や、前面部や後面部を有している点等、具体的形状や構造は第１実施形態の右基礎脚７１と同様であるため、説明を省略する。
【００８８】
左基礎脚１７２は、第１実施形態の左基礎脚７３と同様であり、底板１４６の左側縁部に沿って前後方向に延びる姿勢で設けられており、底板１４６の下に螺子（図示せず）を介して固定されている。また、左基礎脚１７２は、前側端部近傍部分が左前支柱４４と前後方向からボルトとナット等の締結部材１７２ｘによって螺着固定されており、後側端部近傍部分が左後支柱４３と前後方向からボルトとナット等の締結部材（図示せず）によって螺着固定されている。なお、左基礎脚１７２が、１つの金属板金を折り曲げて構成されている点や、前面部や後面部を有している点等、具体的形状や構造は第１実施形態の左基礎脚７３と同様であるため、説明を省略する。
【００８９】
右基礎脚１７１と左基礎脚１７２とは、互いに鉛直方向を軸方向として１８０度回転させた姿勢の関係で配置されている。
【００９０】
図１３に示すように、右基礎脚１７１と左基礎脚１７２は、図１２に示すように接地面上に配置されるスキッド１８０の上方に固定されている。
【００９１】
スキッド１８０は、第１実施形態のスキッド８０と同様に、木材によって構成されており、底面が接地面に配置され、上面に室外ユニット２０が載置される、室外ユニット２０の土台となる部材である。スキッド１８０の上方には、右基礎脚１７１と左基礎脚１７２とが上下方向に螺着固定される。スキッド１８０の具体的構造については、第１実施形態のスキッド８０と概ね同様である。
【００９２】
（５）第２実施形態の室外ユニット１２０の特徴
（５−１）熱交換面積と捩れ剛性
第２実施形態の室外ユニット１２０についても、熱交換面積を広く確保することが可能になっている点は、第１実施形態の室外ユニット２０と同様である。
【００９３】
（５−２）捩れ剛性の確認試験
また、第２実施形態の室外ユニット１２０についても、従来例との比較で、捩れ剛性の試験を行った。
【００９４】
試験では、従来例として図１４に示すような基礎脚８７１、８７２とスキッド８８０を用い、第２実施形態の室外ユニット１２０において右基礎脚１７１と左基礎脚１７２とスキッド１８０を用い、他の条件を同様として、捩れ剛性を調べた。いずれの例も、総重量が２８０ｋｇであった。また、いずれの例も、底板１４６は、底板１４６の長手方向（左右方向）の幅が、底板１４６の長手方向に直交する方向（前後方向）の幅の１．０倍よりも大きく１．４倍よりも小さくなるように構成されている。
【００９５】
従来例においては、右基礎脚１７１と左基礎脚１７２と同様の形状を有しており、長手方向の長さが異なる基礎脚８７１、８７２を用いた（図１４において二点鎖線で囲われた部分として示す）。また、従来例では、スキッド１８０に実質的に対応した形状のスキッド８８０を用いた。なお、図１４に示すように、従来例の基礎脚８７１、８７２は、左右方向に延びており、その左右方向の両端において支柱と左右方向に螺着固定されたものを用いた。
【００９６】
試験では、右前支柱４１のうち室外熱交換器２４の上端近傍の高さ位置の部分に、前方に向けて引っ張るようにして水平外力Ｆ１を作用させた場合の、当該右前支柱４１の当該位置からの変位量を確認することにより、前後方向の捩れ剛性の確認を行った。
【００９７】
また、右後支柱４２のうち室外熱交換器２４の上端近傍の高さ位置の部分に、右側に向けて引っ張るようにして水平外力Ｆ２を作用させた場合の、当該右後支柱４２の当該位置からの変位量を確認することにより、左右方向の捩れ剛性の確認を行った。
【００９８】
水平外力Ｆ１、Ｆ２は、第２実施形態に関する試験では、いずれも６８０Ｎとした。また、変位量は、６８０Ｎの力を作用させた後に支柱の変位量が安定した状態で測定した。
【００９９】
（５−３）効果
第２実施形態の室外ユニット１２０においても、従来例においても、いずれにおいても、左右方向における捩れ変形よりも前後方向における捩れ変形の方が大きいことが明らかとなった。
【０１００】
従来例における前後方向の捩れ変形量は１２．３ｍｍであったが、第２実施形態の室外ユニット１２０における前後方向の捩れ変形量は９．１ｍｍであり、第２実施形態の室外ユニット１２０のように基礎脚を前後方向に延びるように配置した方が前後方向の捩れ変形量が小さく抑えられることが明らかとなった。
【０１０１】
また、従来例における左右方向の捩れ変形量は１０．４ｍｍであったが、第２実施形態の室外ユニット１２０における左右方向の捩れ変形量は７．９ｍｍであり、第２実施形態の室外ユニット１２０のように基礎脚を前後方向に延びるように配置した方が左右方向についても捩れ変形量が小さく抑えられることが明らかとなった。
【０１０２】
なお、従来例においては、左右方向に延びた基礎脚８７１、８７２を用いているが、これらはいずれも長手方向の長さ（左右方向の長さ）が９３０．０ｍｍであった。従来例における複数の基礎脚８７１、８７２の長手方向の合計長さは９３０．０ｍｍ×２（本）＝１８６０．０ｍｍである。これに対して、第２実施形態の室外ユニット１２０では、前後方向の延びた右基礎脚１７１、左基礎脚１７２を用いているが、これらはいずれも長手方向の長さ（前後方向の長さ）が７６５．０ｍｍであった。第２実施形態の室外ユニット１２０おける右基礎脚１７１、左基礎脚１７２の長手方向の合計長さは７６５．０ｍｍ×２（本）＝１５３０．０ｍｍである。したがって、従来例よりも第２実施形態の室外ユニット１２０のほうが、基礎脚において用いられる長手方向の長さを短くすることができており、材料費を削減することも可能になっていることから、材料費を削減しつつ捩れ剛性を高めることが可能になっている。
【０１０３】
（６）第１実施形態の室外ユニット２０と第２実施形態の室外ユニット１２０の両方を製造する場合の利点
第１実施形態の室外ユニット２０と第２実施形態の室外ユニット１２０の両方を製造する場合には、いずれも基礎脚を前後方向に延びるように配置させており、前後方向の長さが共通化されていることから、それぞれの右基礎脚７１、中央基礎脚７２、左基礎脚７３、右基礎脚１７１、左基礎脚１７２の形状および寸法を共通化させることができているため、製造コストを低減させることが可能になっている。
【０１０４】
（７）変形例
（７−１）変形例Ａ
上記第１実施形態では、右基礎脚７１、中央基礎脚７２、左基礎脚７３の３本を用いた場合について例に挙げて説明した。
【０１０５】
しかし、例えば、剛性を十分に確保することが可能であれば、中央基礎脚７２を省略し、右基礎脚７１と左基礎脚７３の２本によって構成してもよい。
【０１０６】
（７−２）変形例Ｂ
上記実施形態では、室外熱交換器２４が室外機ケーシング４０の全ての側面に沿うように４面構造となっている例に挙げて説明した。
【０１０７】
しかし、室外熱交換器としては、これに限られるものではなく、室外機ケーシング４０の４つの側面のうちの３面に沿うように３面構造となっているものであってもよい。
【０１０８】
（７−３）変形例Ｃ
上記第１実施形態では、右基礎脚７１について、底面７１ａと中央立設面７１ｂと中央上面７１ｃとを前側から見た場合に略コの字形状となり、底面７１ａと前方立設面７１ｄと前方上面７１ｅとを後ろ側から見た場合に略コの字形状となり、底面７１ａと後方立設面７１ｆと後方上面７１ｇとを後ろ側から見た場合に略コの字形状となるように構成（パターンＡ）して、中央基礎脚７２と左基礎脚７３について、鉛直方向を軸としてパターンＡを１８０度回転させたものとなるように構成（パターンＢ）させた場合を例に挙げて説明した。
【０１０９】
しかし、右基礎脚７１と中央基礎脚７２と左基礎脚７３とのパターンの組み合わせについてはこれに限定されるものではない。
【０１１０】
例えば、右基礎脚７１と中央基礎脚７２と左基礎脚７３とが、それぞれパターンＡとパターンＡとパターンＢとの組み合わせとなるように構成されていてもよいし、それぞれパターンＢとパターンＢとパターンＡとの組み合わせとなるように構成されていてもよいし、それぞれパターンＢとパターンＡとパターンＡとの組み合わせとなるように構成されていてもよい。
【０１１１】
（７−４）変形例Ｄ
上記第２実施形態では、右基礎脚１７１について、底面と中央立設面と中央上面とを前側から見た場合に略コの字形状となり、底面と前方立設面と前方上面とを後ろ側から見た場合に略コの字形状となり、底面と後方立設面と後方上面とを後ろ側から見た場合に略コの字形状となるように構成（パターンＣ）して、左基礎脚１７２について、鉛直方向を軸としてパターンＣを１８０度回転させたものとなるように構成（パターンＤ）させた場合を例に挙げて説明した。
【０１１２】
しかし、右基礎脚１７１と左基礎脚１７２とのパターンの組み合わせについてはこれに限定されるものではない。
【０１１３】
例えば、右基礎脚１７１と左基礎脚１７２とが、それぞれパターンＤとパターンＣとの組み合わせとなるように構成されていてもよい。
【符号の説明】
【０１１４】
１    空気調和装置（冷凍装置）
２０    室外ユニット
２４    室外熱交換器（熱交換器）
２４ａ、２４ｃ、２４ｅ、２４ｇ  第１、３、５、７熱交部分（空気吸い込み面）
４０    室外機ケーシング
４１    右前支柱（支柱）
４２    右後支柱（支柱）
４３    左後支柱（支柱）
４４    左前支柱（支柱）
４５    天板
４６    底板
５１    前面下部パネル（側板）
５２    左側面下部パネル（側板）
７１    右基礎脚（基礎脚）
７２    中央基礎脚（基礎脚）
７３    左基礎脚（基礎脚）
８０    スキッド
１２０    室外ユニット
１４０    室外機ケーシング
１４６    底板
１７１    右基礎脚（基礎脚）
１７２    左基礎脚（基礎脚）
１８０    スキッド
【先行技術文献】
【特許文献】
【０１１５】
【特許文献１】特開２００７−１４７２５０号公報
【図１】
2017083029.tif 000003
【図２】
2017083029.tif 000004
【図３】
2017083029.tif 000005
【図４】
2017083029.tif 000006
【図５】
2017083029.tif 000007
【図６】
2017083029.tif 000008
【図７】
2017083029.tif 000009
【図８】
2017083029.tif 000010
【図９】
2017083029.tif 000011
【図１０】
2017083029.tif 000012
【図１１】
2017083029.tif 000013
【図１２】
2017083029.tif 000014
【図１３】
2017083029.tif 000015
【図１４】
2017083029.tif 000016